Podtech/llm-jp-corpus-v4-ja_patent huggingface dataset:
(57)【要約】【課題】１６ｂｉｔのＣＲＣコードを付けても１６ｂｉｔ分即ち６５５３６回に１回の確率でたまたまＣＲＣが正常になる事があるという問題を解決する。【解決手段】マンチェスターコードはデューティーが５０％で有り、前半がＬの時は後半がＨ、同じく前半がＨの時は後半がＬになる性質を有しているという状態にマンチェスターコードがなっている事をチェックしデータの異常を検出する。【選択図】　　図１
2004072188.tif 000002
【特許請求の範囲】
【請求項１】
第１のクロックと、これと１８０度位相のずれた第２のクロックでデータをサンプリングし、第１のクロックでサンプリングしたデータを受信データとし、これと第２のクロックでサンプリングしたデータが論理的に反転していない事で、データが異常で有ることを確認するマンチェスタコードのスケルチ回路。
【発明の詳細な説明】
【０００１】
【発明の属する技術分野】
本願はマンチェスタコードを用いたデータ伝送システムのデータ異常を検出するスケルチ回路に関する。
【０００２】
【従来の技術】
データ伝送システムではデータにＣＲＣと言う誤り検出コードを付けてデータの正常性を確認していた。
【０００３】
【発明が解決しようとする課題】
１６ｂｉｔのＣＲＣコードを付けても１６ｂｉｔ分即ち６５５３６回に１回の確率でたまたまＣＲＣが正常になる事がある。
【０００４】
【課題を解決するための手段】
マンチェスターコードはデューティーが５０％で有り、前半がＬの時は後半がＨ、同じく前半がＨの時は後半がＬになる性質を有している（図１）この状態にマンチェスターコードがなっている事をチェックしデータの異常を検出する。
【０００５】
【発明の実施の形態】
図２はクロックの両エッジでデータをサンプリングする事を示す、立ち上がりのエッジでデータとして取り込み、逆のエッジで確認用の信号をサンプリングする事を示している。このクロックＣＫとデータＤＡＴＡは図３のように受信データからクロックを抽出したものであって、特開平８−２０４６８６号公報に記載されたクロック抽出回路等に詳しいので説明を略す。図４はこの回路でありＤＦＦのＦＦ１（１）で立ち上がりエッジのデータをサンプリングし、逆エッジで同じくＤＦＦのＦＦ２（２）はサンプリングされる、ＦＦ１（１）の反転出力とＦＦ２（２）の出力はマンチェスタコードの状態が正常であれば一致するのでＥＸＯＲでの一致を検出し、この状態をＦＦ３（３）が保持するＦＦ３（３）はＪ−／Ｋなので一度不一致を保持すると／ＣＬＲ信号が来ない限りＳＱはＨになったままとなり、このＳＱがＨであると受信データに異常が有った事になる、／ＣＬＲ信号は受信開始時に入力する。
【０００６】
【発明の効果】
僅かな回路で受信のマンチェスターコードが正常で有った事をチェック出来る、ノイズ等信号が異常になって、且つＣＲＣがたまたま一致する等の問題に対応出来る。
【図面の簡単な説明】
【図１】マンチェスタコード説明図
【図２】立ち上がりの図
【図３】クロック抽出回路図
【図４】本発明のスケルチ回路図
【符号の説明】
１　ＦＦ１、
２　ＦＦ２、
３　ＦＦ３
【図１】
2004072188.tif 000003
【図２】
2004072188.tif 000004
【図３】
2004072188.tif 000005
【図４】
2004072188.tif 000006
(57)【要約】【課題】端子用の金属フレームをインサートしない、小型化された撮像装置用半導体チップ収納用筐体およびそれを用いた撮像装置を提供する。【解決手段】配線パターンが形成された基板上に、レンズを保持する鏡筒部を固定するための樹脂成形部が設けられたことを特徴とするボールグリッドアレイ型撮像装置用半導体チップ収納用筐体を提供する。さらに、そのボールグリッドアレイ型撮像装置用半導体チップ収納用筐体を用いて得られる撮像装置を提供する。【選択図】　　　図６
2004072444.tif 000002
【特許請求の範囲】
【請求項１】
配線パターンが形成された基板上に、レンズを保持する鏡筒部を固定するための樹脂成形部が設けられたことを特徴とするボールグリッドアレイ型撮像装置用半導体チップ収納用筐体。
【請求項２】
請求項１に記載の半導体チップ収納用筐体を用いて得られる撮像装置。
【発明の詳細な説明】
【０００１】
【発明の属する技術分野】
本発明は小型化された撮像装置に関する。
【０００２】
【従来の技術】
撮像した映像を電気信号に変換する半導体撮像素子の小型化、高性能化に伴い、撮像装置も小型化されて各方面で使用され、世の中の利便性を高めている。また撮像装置が小型化になることで、映像の入力センサーとしての市場を広げている。
【０００３】
通常、この様な撮像装置には半導体チップを収めるための筐体が用いられている。図１は従来の端子用の金属フレームをインサートする形で作られた筐体の断面図、図２は同筐体の上面図、図３は同筐体を用いて作製した撮像装置の断面図である。筐体樹脂部１は筐体金属フレーム部２をインサートする形で成形される。この場合、筐体金属フレーム部２は筐体樹脂部１の外側に突出している。また撮像装置において、半導体チップ３は筐体の中に収められ、ワイヤー７によって端子である金属フレーム部２に接続されている。また、レンズ５は鏡筒部６にあらかじめセットされており、さらに鏡筒部６を筐体樹脂部上面に接続する。
撮像装置の小型化のためには、この筐体を如何に小さくするかが課題である。
【０００４】
【発明が解決しようとする課題】
現在使われている端子用の金属フレームをインサートする形で作られた撮像装置用半導体チップ収納用筐体は、金属フレームが筐体の外側に突出した形状をしているためその小型化には限界があり、端子用の金属フレームをインサートしない新たな形態の筐体の開発が望まれる。本発明は、端子用の金属フレームをインサートしない、小型化された筐体を提供することを課題とする。
【０００５】
【課題を解決するための手段】
本発明者らは、この課題に対して鋭意検討した結果、配線パターンが形成された基板上に、レンズを保持する鏡筒部を固定するための樹脂成形部を設けたボールグリッドアレイ型撮像装置用半導体チップ収納用筐体を用いることにより上記の課題を解決し得ることを見出し、本発明を完成するに至ったものである。
【０００６】
すなわち本発明は以下の態様を包含する。
配線パターンが形成された基板上に、レンズを保持する鏡筒部を固定するための樹脂成形部が設けられたことを特徴とするボールグリッドアレイ型撮像装置用半導体チップ収納用筐体である。
また、前記の半導体チップ収納用筐体を用いて得られる撮像装置である。
【０００７】
【発明の実施の形態】
以下、本発明の実施の形態を、図面を用いて説明する。
図４は本発明の配線パターンが形成された基板上に、レンズを保持する鏡筒部を固定するための樹脂成形部を設けることにより作られたボールグリッドアレイ型撮像装置用半導体チップ収納用筐体の断面図、図５は同筐体の上面図、図６は同筐体を用いて作製した撮像装置の断面図である。樹脂成形部１２は、表面にＣｕ等により回路部１１が形成された基板１０の上に成形される。また、基板１０において回路部１１と反対側の面にはスルーホール１３が存在し、個々のスルーホールは回路部の何れかの部分に接続されている。
【０００８】
半導体チップ３は、ポリイミドから成るチップ接着シート１４を介して基板１０に接着され、また、ワイヤー７を用いて回路部１１に接続される。また、スルーホール１３の部分には半田が注入され、先端がボール状である半田ボール１５として回路部１１からつながる端子と成る。この結果、図３の金属フレームを樹脂にインサートした形の筐体を用いた場合に比して、撮像装置を小さくすることができる。
【０００９】
【発明の効果】
配線パターンが形成された基板上に、レンズを保持する鏡筒部を固定するための樹脂成形部を設けたボールグリッドアレイ型撮像装置用半導体チップ収納用筐体を用いることで、撮像装置を小さくできる。
【図面の簡単な説明】
【図１】端子用の金属フレームをインサートした従来の筐体の断面概略図である。
【図２】従来の筐体である図１の上面図である。
【図３】従来の筐体を用いて作製した撮像装置の断面概略図である。
【図４】本発明に係るボールグリッドアレイ型撮像装置用半導体チップ収納用筐体の断面概略図である。
【図５】本発明に係る半導体チップ収納用筐体である図４の上面図である。
【図６】本発明に係る半導体チップ収納用筐体を用いて作製した撮像装置の断面概略図である。
【符号の説明】
１　筐体樹脂部
２　筐体金属フレーム部
３　半導体チップ
５　レンズ
６　鏡筒部
７　ワイヤー
９　ガラスフィルター
１０　基板
１１　回路部
１２　樹脂成形部
１３　スルーホール
１４　チップ接着シート
１５　半田ボール
【図１】
2004072444.tif 000003
【図２】
2004072444.tif 000004
【図３】
2004072444.tif 000005
【図４】
2004072444.tif 000006
【図５】
2004072444.tif 000007
【図６】
2004072444.tif 000008
(57)【要約】【課題】サーボドライバにおいて、充電電流制限抵抗および／またはヒューズの断線を１箇所の電圧観測で検出する。【解決手段】抵抗Ｒ１はヒューズ３の、コンバータ１側の端部に一端が接続されている。抵抗Ｒ２は充電電流制限抵抗４の、平滑化コンデンサ２側の端部に一端が接続されている。抵抗Ｒ３は一端が直流電圧負側に接続され、他端が抵抗Ｒ１とＲ２の他端に接続されている。断線検出器５は抵抗Ｒ１、Ｒ２と抵抗Ｒ３の接続点の信号６を入力し、該信号によりヒューズ３および／または充電電流制限抵抗４の断線の有無を検出する。【選択図】　　　図１
2004072819.tif 000002
【特許請求の範囲】
【請求項１】
交流電圧入力を整流し、直流電圧を出力するコンバータと、
前記直流電圧を平滑化するコンデンサと、前記コンデンサへの充電電流を制限する、直流電圧正側に挿入された充電電流制限抵抗を有するサーボドライバにおいて、
一端が前記充電電流制限抵抗の各端に接続された２個の抵抗と、
一端が直流電圧負側に接続され、他端が前記２個の抵抗の他端に接続された抵抗と、
前記２個の抵抗と、前記直流電圧の負側に接続された抵抗の接続点の電圧状態より前記充電電流制限抵抗の断線の有無を検出する手段を有することを特徴とするサーボドライバ。
【請求項２】
前記充電電流制限抵抗の代りにヒューズを有する、請求項１に記載のサーボドライバ。
【請求項３】
前記充電電流制限抵抗の代りに充電電流制限抵抗とヒューズの直列接続を有する、請求項１に記載のサーボドライバ。
【請求項４】
前記コンバータを外し、直流電圧を入力する、請求項１から３のいずれか１項に記載のサーボドライバ。
【発明の詳細な説明】
【０００１】
【発明の属する技術】
本発明はサーボドライバに関し、特に、直流電圧を平滑化するコンデンサへの充電電流を制限する充電電流制限抵抗および／またはヒューズの断線を検出する方法に関する。
【０００２】
【従来の技術】
従来、充電電流制限抵抗、ヒューズの断線検出は、充電電流制限抵抗、ヒューズの両端の電圧を観測し、断線がない場合の電圧との違いにより行われていた。
【０００３】
【発明が解決しようとする課題】
この場合、電圧の観測点は２箇所になり、電圧の違いを判断する観測信号処理部が絶縁された弱電部にある場合、２個の絶縁手段が必要であった。弱電部はユーザインターフェースを持つため、絶縁を必要とするからである。
【０００４】
本発明の目的は、１箇所の電圧の観測で充電電流制限抵抗および／またはヒューズの断線を検出できるサーボドライバを提供することにある。
【０００５】
【課題を解決するための手段】
本発明のサーボドライバは、一端が充電電流制限抵抗の各端に接続された２個の抵抗と、一端が直流電圧負側に接続され、他端が前記２個の抵抗の他端に接続された抵抗と、前記２個の抵抗と、前記直流電圧の負側に接続された抵抗の接続点の電圧状態より充電電流制限抵抗の断線の有無を検出する手段を有する。
【０００６】
このように、本発明によれば１箇所の電圧の観測で電流制限抵抗および／またはヒューズの断線の有無を検出するため、絶縁手段も１個で済む。
【０００７】
なお、充電電流制限抵抗の代りに、ヒューズまたは、電流制限抵抗とヒューズの直列接続を備えていても同様に断線を検出できる。また、サーボドライバはコンバータを外して、直流電圧を直接、入力するものであっても、同様に断線を検出できる。
【０００８】
【発明の実施の形態】
次に、本発明の実施の形態について図面を参照して説明する。
【０００９】
図１は本発明の一実施形態のサーボドライバの回路図である。
【００１０】
コンバータ１は交流電圧入力Ｅｉｎを整流し、直流電圧を出力する。平滑化コンデンサ２は直流電圧を平滑化する。ヒューズ３と充電電流制限抵抗４は直流電圧正側に挿入され、充電電流制限抵抗４は平滑化コンデンサ２への充電電流を制限する。抵抗Ｒ１はヒューズ３の、コンバータ１側の端部に一端が接続されている。抵抗Ｒ２は充電電流制限抵抗４の、平滑化コンデンサ２側の端部に一端が接続されている。抵抗Ｒ３は一端が直流電圧負側に接続され、他端が抵抗Ｒ１とＲ２の他端に接続されている。ここで、抵抗Ｒ２の抵抗値は抵抗Ｒ３の抵抗値よりも十分大きい。断線検出器５は抵抗Ｒ１、Ｒ２と抵抗Ｒ３の接続点の信号６を入力し、該信号によりヒューズ３および／または充電電流制限抵抗４の断線の有無を検出する。
【００１１】
次に、本実施形態の動作を説明する。
【００１２】
交流電圧Ｅｉｎがコンバータ１に入力されると、整流されて、直流電圧が出力され、ヒューズ３、充電電流制限抵抗４を通して平滑化コンデンサ２が充電される。ヒューズ３、充電電流制限抵抗４の両端の電圧は等しくなる。
【００１３】
この場合、断線検出信号６の電圧は次式（１）で表される。
【００１４】
【数１】
2004072819.tif 000003
【００１５】
ヒューズ３あるいは充電電流制限抵抗４が断線すると、ヒューズ３の入力端の電圧と充電電流制限抵抗４の出力端の電圧が異なる。交流電圧入力前から断線している場合や断線してから時間が経過して平滑化コンデンサ２が放電した後では、断線検出信号６は次式（２）で表される。
【００１６】
【数２】
2004072819.tif 000004
【００１７】
この場合、断線検出信号６は数Ｖの電圧に下がり、抵抗Ｒ２の抵抗値は抵抗Ｒ３の抵抗値に対して十分大きいので断線時の影響は無視できる。
【００１８】
式（１）と（２）の違いにより、断線状態を検出できる。
【００１９】
なお、本実施形態ではヒューズ３と充電電流制限抵抗４の直列接続が平滑化コンデンサ２に接続されているが、ヒューズ３と充電電流制限抵抗４のいずれか一方が平滑化コンデンサ２に接続されていてもよい。また、コンバータ１を外して、直流電圧をサーボドライバに直接入力するようにしてもよい。また、断線検出器５として、直流電源電圧の過電圧／不足電圧監視用のものを併用できる。これにより回路部の小型化、ローコスト化が図れる。
【００２０】
【発明の効果】
以上説明したように、本発明によれば、１箇所の電圧の観測で、充電電流制限抵抗および／またはヒューズの断線を検出するため、絶縁箇所も１箇所で済むという効果がある。
【図面の簡単な説明】
【図１】本発明の一実施形態のサーボドライバの回路図である。
【符号の説明】
１　　コンバータ
２　　平滑化コンデンサ
３　　ヒューズ
４　　充電電流制限抵抗
５　　断線検出器
６　　断線検出信号
Ｒ１、Ｒ２、Ｒ３　　抵抗
【図１】
2004072819.tif 000005
(57)【要約】【課題】従来の端子板スペースが不用の為制御盤レイアウトがコンパクト化されダクトと端子板が一体化されたことによる経済的効果は大きい、又は端子番号内容表示が出来る為点検作業が容易になった、そして端子の表示が明確な為誤配線が減少され作業効率ＵＰを可能にする。【解決の手段】従来の端子板配列スペースに一体化されたダクト併設端子台を配置することにより従来の配線ダクトを廃止することを目的とする、尚本発明品の最も経済的な使用法として配線されるリード線の収納を優先、接続端子５、は部品との接続に最少限必要数だけ、不用の端子は簡単に脱着を可能にした。尚透明の端子カバー３、内面に図５、の配線内容を表示することによって補修・点検・等の簡素化された。【選択図】　　　　　　　　　図１
2004072890.tif 000002
【特許請求の範囲】
【請求項１】
取り付け台本体１にスライドレール４を設け端子板本体２をスライドレール４へ挿入配置し、取り付け本体１とスライドレール４の開口部にカバー受け溝６を設け、ダクトカバー３を円形状にはめ込むことによって１、２、３、で構成された内部空間を利用した配線ダクトとして使用する事を特徴とする、ダクト併設端子台。
【請求項２】
端子板の接続金具は設置配線完了後であっても不要の部分又は金具装着位置の変更は端子締め付け螺子８を緩め片側のみ外すことにより端子金具５を簡単に取り外し又は取り付けが出来ることを特徴とするダクト併設端子台。
【発明の詳細な説明】
【０００１】
【発明が属する技術分野】
本発明は取り付け台本体１と端子板本体２を合体し少スペース化を計りさらに端子金具を簡単に脱着出来るダクト併設端子台に関するものである。
【０００２】
【従来の技術】
従来は端子板スペースとダクトスペースが別々に２列に配置する必要があった為本考案の２倍のスペースが要した、さらに端子板から外部配線の束線処理が必要であった、そして束ねることにより点検作業は出来なかった。
（イ）従来、端子の表示は番号のみで、リード線又は端子の内容表示は出来なかった。
【０００３】
従来の端子台の取り付けスペースが全体の２０〜３０％の場所が必要であ
った、従って制御盤もその分だけ大型化されていた。
【０００４】
使用されない部分の端子台金具を簡単に取り外しが出来ないので変更や移動が
出来なかったので不経済であった。
【０００５】
【発明が解決しようとする課題】
解決しようとする問題点は、制御盤の小型化そして配線作業点検の容易さ、さらに総合的単価の低減を含め作業性の合理化が必要であった。
【０００６】
端子の数が設計時点での予定の数より多い又は少ない場合、簡単に変更することは出来なかった、本発明はこれらの欠点を解決する為のものである。
【０００７】
ダクト上に端子板を設け自由に必要な位置に端子金具５、を挿入し最短距離の配線が出来る様解決する必要があった。
【０００８】
端子番号表示の他に詳細なリード線表示が出来る表示板がメンテナンス上必要であった。
【０００９】
端子板から外部へ接続される配線は束ねてあった、さらに配線を束ねる為に点検作業が困難であった。
【００１０】
【課題を解決するための手段】
本発明のダクト併設端子台は取り付け台本体１、と端子板本体２、透明ダクトカバー３、を合体し内部空間をダクトとして利用出来る構造を特徴とする。
【００１１】
【発明の実施の形態】
本発明品は制御盤内部のレイアウトで端子板専用の配置スペースは不要となり全てが本発明のダクト併設端子台を配置する形態をとった。
【００１２】
ダクトと端子板が一体化し複数の端子溝を持つブロックを指定の長さにカットし組み合わせの出来るダクト併設端子台
【００１３】
【実施例】
以下本発明の実施例について説明する。本発明品を制御盤に配置レイアウトする際に端子板の観念を捨て１と２の空間を利用した全てダクト配置のレイアウトとして制御盤寸法に合わせ整然と配置することが出来る。
【００１４】
配線に必要な端子挿入溝５に端子金具を挿入し螺子で固定する。
【００１５】
端子カバー３の内面へ印刷物表示７の、端子番号、リード線番号、リード線内容等を表示するカードを挿入する。
【００１６】
端子金具５の移動又は不用になった場合の取り付け・取り外しは８の片方の螺子を外し端子金具を引き出す事によって簡単に脱着出来る。
【００１７】
制御盤中央に端子板を設置する場合図３の両ダクト空間を利用出来る。
【００１８】
【発明の効果】
従来の端子台は不要となりこれに代わる図１ダクト併設端子台による経済的効果は大きい、以下その他の効果について説明する。
【００１９】
本発明は以上のような構成でこれを使用されることにより、外部配線の束線作業の必要がなくダクト内での点検作業が容易になる。
【００２０】
ダクトカバー３に端子番号表示と共に内容表示が明記出来るため後の点検に役立ち便利である。
【００２１】
使用されていない端子金具は簡単に取り付け取り外しが出来るので無駄がなく経済的効果は大きい。
【００２２】
複数の端子を有する端子台はブロック状に形成されている、これをスライドレールに装着しスライドにより自由に移動又は位置変更ができるので便利である。
【図面の簡単な説明】
【図１】本発明の一体型ダクトに併設した端子台斜視図である。
【図２】本発明のダクト端子台片面の断面図である。
【図３】端子台を中心に両サイドにダクトを設けた断面図である。
【図４】端子金具挿入部断面図である。
【図５】端子表示板
【符号の説明】
１　　取り付け台本体
２　　端子板本体
３　　透明ダクトカバー
４　　取り付けレール
５　　接続端子金具
６　　カバー受け溝
７　　端子表示板印刷物
８　　端子留め螺子
【図１】
2004072890.tif 000003
【図２】
2004072890.tif 000004
【図３】
2004072890.tif 000005
【図４】
2004072890.tif 000006
【図５】
2004072890.tif 000007
(57)【要約】【課題】電線への装着被覆作業が容易でかつ電気絶縁性を高めることができ、同時に鳥害による破損を防止できる電線保護カバーを提供する。【解決手段】シリコーンゴムの押出成形品とし、その幅を被覆すべき電線の外周に少なくとも２重に捲回可能な幅とし、幅方向における中央部に平板部を、幅方向における両端部に平板部から一体に湾曲部を形成し、湾曲部の内周面を電線の外周面に対応する曲面に形成する。【選択図】　　　　　図１
2004072809.tif 000002
【特許請求の範囲】
【請求項１】
シリコーンゴムを押出成形してなる電線保護カバーであって、被覆すべき電線の外周に少なくとも２重に捲回可能な幅を有し、幅方向における中央部に平板部が形成され、幅方向における両端部に上記平板部から一体に湾曲部が延設され、上記湾曲部はその内周面が上記電線の外周面に対応する曲面に形成されていることを特徴とする電線保護カバー。
【請求項２】
湾曲部を他の部分より厚肉に形成した請求項１に記載の電線保護カバー。
【請求項３】
湾曲部の先端を端縁に向かって漸次薄肉に形成した請求項１又は２に記載の電線保護カバー。
【発明の詳細な説明】
【０００１】
【発明の属する技術分野】
本発明は、架空配電線等の外周に装着される電気絶縁性の電線保護カバーに関する。
【０００２】
【従来の技術】
架空配電線は、建物や樹木等に接近して布設されることにより風等によってこれらと接触して摩耗したり、電線同士が接触して摩耗することがあり、長期に亘ると電線被覆層が摩滅して絶縁性能の低下や絶縁不良を招く虞がある。そのため、一般に電線保護カバーを装着することが行われており、例えば実開昭５７−１４３５１８号公報には、合成樹脂製の管本体の下部に装着用開閉部を設け、電線外周への装着時には装着用開閉部から管本体下部の両側縁を大きく割り広げて嵌め込み、材質の弾性により閉じて装着するようにした電線保護カバーが開示されている。
【０００３】
【発明が解決しようとする課題】
しかしながら、上記電線保護カバーは電線の外周に装着する際にカバーの装着用開閉部を割り広げなければならないという装着作業上の煩わしさがあり、また烏などがカバーをつついて穴をあけて電気絶縁性を低下させる鳥害の問題があった。
【０００４】
本発明は、上記問題に鑑み、電線への装着被覆作業が容易でかつ電気絶縁性をを高めることができ、同時に鳥害による破損を防止できる電線保護カバーを提供することを課題とするものである。
【０００５】
【課題を解決するための手段。】
本発明は、上記課題を解決するため、電線保護カバーをシリコーンゴムの押出成形品とし、上記電線保護カバーの幅を被覆すべき電線の外周に少なくとも２重に捲回可能な幅とし、幅方向における中央部に平板部を形成し、幅方向における両端部に上記平板部から一体に湾曲部を延設し、上記湾曲部の内周面を上記電線の外周面に対応する曲面に形成することを手段とするものである（請求項１）。また、上記湾曲部を他の部分より厚肉に形成したり（請求項２）、上記湾曲部の先端を端縁に向かって漸次薄肉形成することができる（請求項３）。
【０００６】
【発明の実施の形態】
以下本発明の電線保護カバーの実施形態について、添付図面を参照して説明する。
【０００７】
図１は本発明に係る電線保護カバーを示す斜視図であり、カバー１１はシリコーンゴムを押出成形した長尺物を適宜の長さにカットしたものを示す。カバー１１は、幅方向における中央部に形成した平板部１２と、幅方向における両端部に平板部１２より延設された湾曲部１３，１３とを備え、湾曲部１３の内周面１３ｂ，１３ｂは被覆すべき電線２１の外周面に対応した曲面に構成している。
【０００８】
カバー１１の平板部１２と湾曲部１３，１３を合わせた全体の幅は、電線２１の外周に２重程度に捲回できる幅であり、湾曲部１３の内周面１３ｂはその内径を電線２１の外径と同一または若干大きくもしくは若干小さく形成してあり、また、湾曲部１３の肉厚を平板部１２より大きく、その先端１３ａ，１３ａを端縁に向かって漸次薄肉に形成している。
【０００９】
図２は電線２１の外周にカバー１１を装着した状態を示し、一方の湾曲部１３をまず電線２１の外周に沿わせることにより無理なく捲き付け、続いて平板部１２を屈曲して巻き付け、最後に他方の湾曲部１３を平板部１２上に密着することにより略２重に被覆して装着する。このとき、他方の湾曲部１３の内周面が内方に沿って自然に湾曲するので、カバー１１の密着性が高くなっている。
【００１０】
なお、本発明は上記実施例に限定されず、その要旨の範囲内で種々変更することができ、例えばカバー湾曲部の曲面は電線の外周面に合わせて適宜変更できる。また、湾曲部は厚肉にしたり先端を薄肉にしたりすることなく、その肉厚を平板部と同じ均一にしてもよい。
【００１１】
【発明の効果】
本発明は、以上説明したように構成されているので、以下のような効果を奏する。
【００１２】
請求項１の発明では、電線への装着に際し、電線の外周面に対応するカバー湾曲部の内周曲面をスムースに巻き付けできるので、電線の外周に沿わせるため先端部を折り曲げる等の無理な力をかけることなく容易に電線への捲回被覆を開始することができ、捲回終了時においても同様に円滑に被覆ができ、２重に巻き付けても密着性に優れたカバーを得ることができる。
【００１３】
また、臭いや味を有する可塑剤をほとんど含まないシリコーンゴムによりカバーを形成したので、烏などの鳥害によるカバーの破れや剥がれによる破損を防ぐことができ、さらに、耐寒性、耐熱性、耐水性、耐光性、耐薬品性、電気絶縁性に優れた特性を併せ持つ電線保護カバーを得ることができる。
【００１４】
請求項２の発明では、湾曲部を他の部分より厚肉に形成することで、電線に巻き付く力が増加するため、電線への捲回が容易にできるほか、電線への密着性をさらに高めることができる。
【００１５】
請求項３の発明では、電線に電線保護カバーを捲回して装着したときに、電線保護カバーの外周面に極端な段差が生じることなく、木などの障害物による引っ掛かりや風による剥がれを防止して耐久性を高めることができる。
【図面の簡単な説明】
【図１】本発明の実施例を示す電線保護カバーの斜視図。
【図２】図１のカバーを電線に装着した状態を示す断面図。
【符号の説明】
１１　電線保護カバー
１２　平板部
１３　湾曲部
２１　電線
【図１】
2004072809.tif 000003
【図２】
2004072809.tif 000004
(57)【要約】【課題】主回路に電源を移してコスト削減を計ろうとしてもモニタの為にコストが増大する問題を解決する。【解決手段】左のサーボ基板３にはＰＷＭを出力するＬＥＤがあり、右のオプション基板４には受光素子とフィルター回路２が搭載されている、即ち２次側を全てオプション扱いとしサーボと別に電源を供給する、これによりコストの低減がはかれる。【選択図】　　図２
2004072825.tif 000002
【特許請求の範囲】
【請求項１】
サーボコントローラのパルス幅変調された速度やトルクのモニタ信号をＬＥＤで出力し、これらの信号をオシロスコープ等で観察する時は、上記ＬＥＤに対面する受光部を有するカードを挿入し、受光部のＰＷＭ信号をアナログ電圧に変換するアナログモニタ。
【請求項２】
サーボコントローラのパルス幅変調された速度やトルクのモニタ信号をＬＥＤで出力し、これらの信号をオシロスコープ等で観察する時は、上記ＬＥＤ出力を光ファイバ−を通じて別モジュールに導き、光ファイバーのデータを受光部で電気のＰＷＭ信号に変換し、受光部のＰＷＭ信号をアナログ電圧に変換するアナログモニタ。
【発明の詳細な説明】
【０００１】
【発明の属する技術分野】
本願はサーボドライブの電流や速度をオシロスコープ等でモニタする為のアナログモニタに関する。
【０００２】
【従来の技術】
従来のサーボドライブはアナログ回路で有ったのでオシロスコープで各所の電圧を見る事は簡単で有った、しかしながらデジタル化されたサーボではＤ／Ａコンバータで必要なデータを出力していた。
【０００３】
【発明が解決しようとする課題】
主回路側に制御回路が移ると直に信号を測定すると危険なので、アイソレーションする必要がありアイソレートした回路はそれ自体電源が必要となる、即ち主回路に電源を移してコスト削減を計ろうとしてもモニタの為にコストが増大する事になる。
【０００４】
【課題を解決するための手段】
上記問題を解決するために、請求項１の本発明に係るアナログモニタは，サーボコントローラのパルス幅変調された速度やトルクのモニタ信号をＬＥＤで出力し、これらの信号をオシロスコープ等で観察する時は、上記ＬＥＤに対面する受光部を有するカードを挿入し、受光部のＰＷＭ信号をアナログ電圧に変換するようにしたものである。
これにより、アナログモニタは通常使用せずに、調整等の時に使用する物であり、常にサーボに搭載する必要の無い物で、アイソレーションの２次側をそっくり着脱可能にする事で対応することできる。
また、請求項２の本発明において、アナログモニタは、サーボコントローラのパルス幅変調された速度やトルクのモニタ信号をＬＥＤで出力し、これらの信号をオシロスコープ等で観察する時は、上記ＬＥＤ出力を光ファイバ−を通じて別モジュールに導き、光ファイバーのデータを受光部で電気のＰＷＭ信号に変換し、受光部のＰＷＭ信号をアナログ電圧に変換するようにしても良い。
【０００５】
【発明の実施の形態】
図１は通常の構成である、
ＡＳＩＣ（Ａｐｐｌｉｃａｔｉｏｎ　Ｓｐｅｃｉｆｉｃ　Ｉｎｔｅｇｒａｔｅｄ　Ｃｉｒｃｕｉｔ）１からのＰＷＭ出力はフィルター回路２に入力しアナログ信号に変換される。アイソレーションが必要な時はフォトカプラーを用いる、この時にはアナログ回路用電源とＶｃｃ２の３電源が別に必要となる。
【０００６】
図２は本願の構成である、左のサーボ基板３にはＰＷＭを出力するＬＥＤがあり、右のオプション基板４には受光素子とフィルター回路２が搭載されている、即ち２次側を全てオプション扱いとしサーボと別に電源を供給する、これによりコストの低減がはかれる。
【０００７】
図３は光ファイバ５を用いたものであり、サーボ本体にオプション基板を取り付けるスペースや構造物を忌避する時に、ＬＥＤの出力を光ファイバー５で別基板に導きここでアナログ信号に変換する。
【０００８】
【発明の効果】
必要に応じてアナログモニタを使用出来、通常は回路が搭載されていなのでサーボのコストを低く押さえる事が出来る。
【図面の簡単な説明】
【図１】普通の構成のアナログモニタ
【図２】本発明のアナログモニタ
【図３】光ファイバを用いたアナログモニタ
【符号の説明】
１　ＡＳＩＣ、
２　フィルター回路、
３　サーボ基板、
４　オプション基板、
５　光ファイバー
【図１】
2004072825.tif 000003
【図２】
2004072825.tif 000004
【図３】
2004072825.tif 000005
(57)【要約】【課題】二次巻線の電圧に関わらす、整流スイッチの駆動電圧を十分に確保する事ができる同期整流回路を提供する。【解決手段】一次−二次間が絶縁され、二次側に整流スイッチＳＷ１を備えてある同期整流回路において、二次側に補助スイッチＱ、ダイオードＤ、及び補助巻線Ｔ３を設け、前記整流スイッチＳＷ１のゲートに前記補助スイッチＱのエミッタ及び前記ダイオードＤのカソードを接続し、前記補助スイッチＱのベース並びに前記ダイオードＤのアノードに前記補助巻線Ｔ３の一端を接続し、前記補助スイッチＱのコレクタに二次巻線Ｔ２の一端を接続し、この二次巻線Ｔ２の一端に前記補助巻線Ｔ３の他端を接続してあることを特徴とする同期整流回路。【選択図】図１
2004072826.tif 000002
【特許請求の範囲】
【請求項１】
一次−二次間が絶縁され、二次側にＦＥＴからなる整流スイッチを備えてある同期整流回路において、二次側に補助スイッチ、ダイオード、及び補助巻線を設け、前記整流スイッチのゲートに前記補助スイッチのエミッタ及び前記ダイオードのカソードを接続し、前記補助スイッチのベース並びに前記ダイオードのアノードに前記補助巻線の一端を接続し、前記補助スイッチのコレクタに二次巻線の一端を接続し、この二次巻線の一端に前記補助巻線の他端を接続してあることを特徴とする同期整流回路。
【請求項２】
前記補助スイッチは、ＰＮＰトランジスタ又はＰチャンネルＭＯＳＦＥＴからなることを特徴とする請求項１記載の同期整流回路。
【発明の詳細な説明】
【０００１】
【発明の属する技術分野】
本発明は、一次−二次間が絶縁され、二次側にＦＥＴからなる整流スイッチを備えてある同期整流回路に関するものである。
【０００２】
【従来の技術】
図２に、従来の同期整流回路を示す。ＳＷ１はメインスイッチ、ＳＷ２は整流スイッチ、ＳＷ３は転流スイッチ、Ｔはトランス、Ｔ１はトランスＴの一次巻線、Ｔ２は同じく二次巻線、Ｌは出力チョーク、Ｃは平滑コンデンサ、Ｒは抵抗であり、この従来例のスイッチＳＷ１，ＳＷ２，ＳＷ３は全てＦＥＴからなり、整流スイッチＳＷ２のゲートに抵抗Ｒの一端を接続し、この抵抗Ｒの他端を二次巻線Ｔ２の一端並びに出力チョークＬに接続してある。
【０００３】
図２図示の従来の同期整流回路は、整流スイッチＳＷ２のゲートに抵抗Ｒを接続し、この抵抗ＲをトランスＴの二次巻線と出力チョークＬとの接続部に接続しているが、出力電圧が低くトランスＴの二次巻線電圧の波高値が低い場合、整流スイッチＳＷ１を駆動する電圧が不足するという課題が生じた。
【０００４】
【発明が解決しようとする課題】
本発明は、上記問題に鑑みてなされたものであり、二次巻線の電圧に影響を受けることなく、整流スイッチがスムーズに作動する新規な同期整流回路を提供する。
【０００５】
【課題を解決しようとする手段】
上記目的を達成するためになされた本発明は、メインスイッチがオンすると、二次巻線の電圧に補助巻線電圧が加算された電圧でダイオードを介して整流スイッチのゲートがチャージされ、メインスイッチがオフすると、転流スイッチがオンし、このとき、補助巻線の電圧が反転して負電位になるため、補助スイッチがオンして整流スイッチのゲートにチャージされた電荷が出力側にディスチャージされることにより、二次巻線の電圧の値に関わらす、整流スイッチの駆動電圧を十分確保する事ができる。
【０００６】
【発明の実施の形態】
以下、添付図面を用いて本発明同期整流回路に係る実施例を説明する。図１に本発明に係る同期整流回路の実施例を示す。ＳＷ１はメインスイッチ、ＳＷ２は整流スイッチ、ＳＷ３は転流スイッチ、Ｔはトランス、Ｔ１はトランスＴの一次巻線、Ｔ２は同じく二次巻線、Ｔ３は同じく補助巻線、Ｌは出力チョーク、Ｃは平滑コンデンサ、Ｒは抵抗、Ｑは補助スイッチ、Ｄはダイオードである。
【０００７】
本実施例に係る同期整流回路は、一次−二次間をトランスＴで絶縁し、一次側にＦＥＴからなるメインスイッチＳＷ１を、二次側にＦＥＴからなる整流スイッチＳＷ２と転流スイッチＳＷ３を備えてあり、二次巻線Ｔ２の一端に出力チョークＬを接続し、同じく二次巻線Ｔ２の他端に整流スイッチＳＷ２のドレインを接続してある。また、整流スイッチＳＷ２のゲート電圧不足を補うため、トランスＴの二次巻線Ｔ２の一端にこの補助巻線Ｔ３を接続してある。本発明に係る同期整流回路は、二次側にＰＮＰトランジスタからなる補助スイッチＱを備え、この補助スイッチＱのエミッタを整流スイッチＳＷ２のゲートに接続し、抵抗Ｒを介して、この補助スイッチＱのベースを補助巻線Ｔ３の一端に接続してある。さらに、二次側にダイオードＤを設けてあり、このダイオードＤのカソードを整流スイッチＳＷ２のゲートに接続し、このダイオードＤのアノードを補助巻線Ｔ３の一端に接続してある。
【０００８】
本実施例に係る同期整流回路は、以上のように構成してあり、以下のように作用する。メインスイッチＳＷ１がオンすると、トランスＴの二次巻線Ｔ２の電圧と補助巻線Ｔ３の電圧とが加算された電圧により、ダイオードＤを介して整流スイッチＳＷ２のゲートがチャージされる。
【０００９】
また、メインスイッチＳＷ１がオフすると、転流スイッチＳＷ３がオンする。このとき、補助巻線Ｔ３の電圧が反転して負電位になるため、補助スイッチＱがオンし、整流スイッチＳＷ２のゲートにチャージされた電荷がディスチャージされる。
【００１０】
なお、本実施例では、前記補助スイッチはＰＮＰトランジスタからなるが、ＰチャンネルＭＯＳＦＥＴでも本実施例とほぼ同様な作用をする。また、補助スイッチにＮＰＮトランジスタやＮチャンネルＭＯＳＦＥＴを用いて本発明同期整流回路を構成することもできる。
【００１１】
【発明の効果】
本発明によれば、メインスイッチがオンすると、二次巻線の電圧と補助巻線の電圧とでダイオードを介して整流スイッチのゲートがチャージされ、メインスイッチがオフすると、転流スイッチがオンし、このとき、補助巻線の電圧が反転して負電位になるため、補助スイッチがオンして整流スイッチのゲートにチャージされた電荷がディスチャージされることにより、二次巻線の電圧に関わらす、整流スイッチの駆動電圧を十分に確保する事ができる。
【００１２】
前記補助スイッチは、ＰＮＰトランジスタ又はＰチャンネルＭＯＳＦＥＴからなると、簡単な構成で、前記効果を得ることができる。
【図面の簡単な説明】
【図１】本発明に係る一実施例を示す回路図である。
【図２】従来例を示す回路図である。
【符号の説明】
ＳＷ１　メインスイッチ
ＳＷ２　整流スイッチ
ＳＷ３　転流スイッチ
Ｑ　補助スイッチ
Ｌ　出力チョーク
Ｃ　平滑コンデンサ
Ｔ　トランス
Ｔ１　トランスＴの一次巻線
Ｔ２　トランスＴの二次巻線
Ｔ３　トランスＴの補助巻線
Ｒ　抵抗
【図１】
2004072826.tif 000003
【図２】
2004072826.tif 000004
(57)【要約】【課題】コンバータ部自体に異常があり、電源投入時電源が立ち上がらなかったり又は遮断時電源が放電できなかったりという異常は、検出ができないという問題を解決する。【解決手段】コンバータ電源無し状態でサーボへの電源無し、電源投入完了でサーボ電源あり、電源遮断、放電でサーボ電源無しを確認し、異常時コンバータ異常とする。【選択図】　図１
2004072935.tif 000002
【特許請求の範囲】
【請求項１】
コンバータ部とインバータ部とに分かれたサーボ制御装置において、
電源検出機能を有しコンバータとインバータ部の電源の状態よりコンバータ異常を検出する方法。
【発明の詳細な説明】
【０００１】
【発明の属する技術分野】
本発明はコンバータ部とインバータ部とに分かれたサーボ制御装置で、コンバータとインバータ部の電源の状態より、コンバータの異常を検出する方法に関する。
【０００２】
【従来の技術】
従来、コンバータ部とインバータ部とに分かれたサーボ制御装置では、コンバータ部では電圧の異常や回生の異常を検出し、インバータ部へ転送していた。
【０００３】
【発明が解決しようとする課題】
ところが従来の技術では、コンバータ部に異常があり電源投入時電源が立ち上がらなかったり、又は電源遮断時電源が放電できなかったりという異常は、検出ができないという問題があった。
【０００４】
【課題を解決するための手段】
上記課題を解決するため、コンバータ電源無し状態でサーボへの電源無し、コンバータ電源投入完了でサーボ電源あり、電源遮断、放電でサーボ電源無しを確認し、異常時コンバータ異常とする。
上記手段により、コンバータの主回路の充放電機能の確認ができ、事前に誤動作等の防止ができる。
【０００５】
【発明の実施の形態】
以下、本発明の具体的実施例を第１図に示して説明する。
第１図において１はコンバータ部、２はインバータ部である。
以上のように構成されたシステムにおいてその動作を説明する。通常はコンバータ主回路電源が投入されるとダイオードモジュール１１で整流され、突入防止抵抗１２を通りメインコンデンサ３に充電される。そして電源投入が完了すると突入防止抵抗１２は切り離され投入完了検出６より完了となる。そしてインバータ部のＤＣ電圧検出８にてサーボ電源ありとなる。コンバータ主回路電源が遮断されるとある時間をおき、回生回路４が動作して主回路電源を放電する。　電源投入完了はなくなり、ＤＣ電圧検出８によりサーボ電源なしとなる。
まず主回路電源無し状態では、コンバータ、サーボ電源無し状態を確認する。次に主回路電源投入完了でサーボ電源有りを確認する。そして主回路電源遮断、放電でサーボ電源無しを確認する。
概要を第２図のフローを用いて説明すると、まずステップ１でコンバータ電源の有無を確認し、あれば、電源投入完了でサーボ電源の有無をステップ３で確認する。コンバータ電源なしの場合、ステップ２で電源放電完了又は最初か確認し、
電源がある場合異常とする。
【０００６】
【発明の効果】
以上述べたように本発明によれば、コンバータの主回路の充放電機能の確認ができる。
また事前に遮断状態を確認ができるので誤動作等も防止ができる。
【図面の簡単な説明】
【図１】第１図は、本発明の具体的実施例の構成図である。
【図２】第２図は従来の実施例の構成図である。
【図３】従来の実施例の構成図である。
【符号の説明】
１　コンバータ部
２　インバータ部
３　メインコンデンサ
４　回生回路
５　ＡＣ電源検出
６　突入防止投入完了検出
７　スイッチング部
８　ＤＣ電圧検出
１１　ダイオードモジュール
１２　突入防止抵抗
【図１】
2004072935.tif 000003
【図２】
2004072935.tif 000004
【図３】
2004072935.tif 000005
(57)【要約】【課題】入力電源が投入された時、起動用の抵抗を通して、電源電圧・再浮上を抑制する抵抗にも電流が流れ、ＩＣ・ＶＣＣに加わる電圧上昇が遅くなり、ＩＣの起動に時間がかかるという問題を解決する。【解決手段】スイッチングＩＣのＶＣＣとＧＮＤ間に挿入している電源電圧再浮上・抑制抵抗に対して、その抵抗のＧＮＤ側にツェナーダイオードを取り付け、抵抗の働く電圧範囲を規制する。【選択図】　　図１
2004072944.tif 000002
【特許請求の範囲】
【請求項１】
トランスとスイッチング素子、スイッチングＩＣ、起動用抵抗で構成し、スイッチングＩＣによって、スイッチングのタイミングや幅を設定し、スイッチングＩＣに指令を与えてＯＮ・ＯＦＦを決定し、トランス一次側に入力電圧が加わるようにして電流を流し、トランスコアに磁束を発生させることでエネルギーを与え、トランス二次側出力の電圧値に変換して、規定電圧を出力するＤＣ−ＤＣコンバータ回路において、
スイッチングＩＣの、入力電源・投入遮断時に前記スイッチングＩＣへ供給する電圧であるＶＣＣ電圧が再浮上を行うことに対して、前記ＶＣＣ電圧再浮上を防ぐ為に前記ＶＣＣ電圧とＧＮＤ間に抵抗を挿入している回路に、ツェナーダイオードを前記の抵抗とＧＮＤの間に挿入することを特徴としたＤＣ−ＤＣコンバータ回路。
【発明の詳細な説明】
【０００１】
【発明の属する技術分野】
本発明は、装置の電源部、特にスイッチングＩＣを用いたＤＣ−ＤＣコンバータ回路に関する。
【０００２】
【従来の技術】
スイッチングＩＣを用いたＤＣ−ＤＣコンバータ内のＩＣ電源であるＶＣＣについては、入力電源が遮断されると、ＩＣに対しても電力を供給できなくなり、ＩＣが非動作状態になる。しかし、ＩＣは動作状態の時、非動作状態の時では消費電力が大きく異なる為、ＩＣの電源電圧が再浮上を行い、ＶＣＣが上昇をし、非連続的な動作を始めてしまう。
それを防ぐ為に通常ＩＣ電源であるＶＣＣとＧＮＤ間に抵抗を挿入して、電源電圧・再浮上によるＶＣＣの電圧上昇を抑え、ＩＣが動作状態に入らない様にしている。
【０００３】
【発明が解決しようとする課題】
従来の技術では、入力電源が投入された時、起動用の抵抗を通して、電源電圧・再浮上を抑制する抵抗にも電流が流れ、ＩＣ・ＶＣＣに加わる電圧上昇が遅くなり、ＩＣの起動に時間がかかるという問題があった。
そこで、本発明ではスイッチングＩＣを用いたＤＣ−ＤＣコンバータ回路のＩＣ電源に付属した抵抗に、ツェナーダイオードを接続することで、ＩＣの立ち上がり時間を早くすることを目的としている。
【０００４】
【課題を解決するための手段】
上記問題を解決するために、本発明はトランスとスイッチング素子、スイッチングＩＣ、起動用抵抗で構成し、スイッチングＩＣによって、スイッチングのタイミングや幅を設定し、スイッチングＩＣに指令を与えてＯＮ・ＯＦＦを決定し、トランス一次側に入力電圧が加わるようにして電流を流し、トランスコアに磁束を発生させることでエネルギーを与え、トランス二次側出力の電圧値に変換して、規定電圧を出力するＤＣ−ＤＣコンバータ回路において、
スイッチングＩＣの、入力電源・投入遮断時に前記スイッチングＩＣへ供給する電圧であるＶＣＣ電圧が再浮上を行うことに対して、前記ＶＣＣ電圧再浮上を防ぐ為に前記ＶＣＣ電圧とＧＮＤ間に抵抗を挿入している回路に、ツェナーダイオードを前記の抵抗とＧＮＤの間に挿入することを特徴としたものである。
これによりスイッチングＩＣのＶＣＣとＧＮＤ間に挿入している電源電圧再浮上・抑制抵抗に対して、その抵抗のＧＮＤ側にツェナーダイオードを取り付け、抵抗の働く電圧範囲を規制するものである。
【０００５】
【発明の実施の形態】
本発明の実施の形態について図に基づいて説明する。図１はスイッチングＩＣを用いたＤＣ−ＤＣコンバータの基本的な構成である。ＩＣには、起動時の電力補償するコンデンサと電源電圧・再浮上抑制の抵抗、抑制の抵抗の動作範囲を規制するツェナーダイオードがついている。入力電源が投入されると、ＩＣ・ＶＣＣに電力が供給されるが、抵抗Ｒ１はツェナーダイオードＺＤ１が動作するまでの電圧以内は電流を流さずに、ＶＣＣ電圧は早く上昇しＩＣを起動させる。
また、入力電源遮断時には、電源電圧・再浮上動作が起こる前の電圧で、ツェナーダイオードＺＤ１が動作範囲となり、抵抗Ｒ１がＧＮＤと接続され動作することで電源電圧の再浮上はなくなる。
【０００６】
【発明の効果】
以上説明したように、本発明のＤＣ−ＤＣコンバータ回路によれば、入力電源が投入された時に、ＩＣのＶＣＣに加わる電圧が早くなり、ＩＣ自体の立ち上がる時間が短くなるという効果がある。
【図面の簡単な説明】
【図１】本発明のＤＣ−ＤＣコンバータの回路図
【図２】従来のＤＣ−ＤＣコンバータの回路図
【符号の説明】
Ｔ１　トランス
Ｒ１　起動抵抗
Ｒ２　電源再浮上・抑制抵抗
ＺＤ１　ツェナーダイオード
Ｃ１　コンデンサ
ＩＣ１　スイッチングＩＣ
Ｑ１　スイッチング素子
ＶＣＣ　スイッチングＩＣであるＩＣ１に供給される直流電圧
【図１】
2004072944.tif 000003
【図２】
2004072944.tif 000004
(57)【要約】【課題】単相溶接機の電圧変動を各相とも同時に抑制する、単相フリッカ装置の開発。【解決手段】溶接機の電源位相より約２０度進ませた電源をフリッカ装置の電源とする。サイリスタとコンデンサを用いる場合はコンデンサの投入開始の極性と、溶接機の通電開始極性を合わせる。【選択図】　　　　　　図１
2004072986.tif 000002
【特許請求の範囲】
【請求項１】
単相溶接機に供給する電源の電圧位相より１６〜２８度、進んだ電圧位相をもつ電源に、サイリスタとコンデンサまたはリアクトルを直列に接続したものを接続することを特徴とする、溶接機の電圧変動を抑制する装置
【請求項２】
単相溶接機が通電を開始する極性と、フリッカ装置の通電開始の極性を一致させることを特徴とする、溶接機の電圧変動を抑制する装置
【発明の詳細な説明】
【０００１】
【発明の属する技術分野】
本発明は、リアクトルまたはコンデンサを、サイリスタによって制御して電源電圧を安定化する装置の電源の位相及び極性に関する。
【０００２】
【従来の技術】
従来の装置の電源は標準的な変圧器を用いるか、または溶接機の電源をそのまま用いていた。
【０００３】
【発明が解決しようとする課題】
従来の装置では、最大の電圧変動を発生する相を電圧変動０になるように調整すると、他の相に電圧変動が残る欠点があった。
これを解決するために従来は他の相の制御を同時に行っていたが、時間遅れと利得が合わない欠点があり、制御結果が良くなかった。
特に、コンデンサを用いる場合は時間遅れが大きくなり、結果が悪い。
【０００４】
本発明の課題は単相溶接機によって生ずる各相の電圧変動を、単相の装置によって時間遅れを無くし、さらに他の相に電圧変動が残らないようにする装置を開発することである。
【０００５】
【課題を解決するための手段】
上記の目的を達成するために、本発明では装置の電源を溶接機よりも約２０度進ませることにより解決した。
しかし、サイリスタとコンデンサを用いる場合には、コンデンサを投入できるタイミングが＋または−の波高値の瞬間に限られるので、溶接機の通電開始と極性を合わせて解決した。
【０００６】
【発明の実施の形態】
発明の実施の形態を実施例にもとずき図面を参照して説明する。
図１は本発明の電源の一例を示すブロック図である。
この図において溶接機（Ｗ）側の変圧器（Ｔ１）はΔ−Δ結線で１次２次の間に位相差は無い。
【０００７】
フリッカ装置（Ｆ）はサイリスタとコンデンサを直列に接続したもの、またはコンデンサの代わりにリアクトルを接続したものである。
この場合、コンデンサに直列に高調波抑制用のリアクトルを接続することが多い。
本文では、フリッカ装置（Ｆ）は上記の定義によるものとする。
【０００８】
フリッカ装置（Ｆ）側の変圧器Ｔ２はΔ−Ｙ結線のＹの先端に、他の相の巻き線を直列に接続する千鳥結線で、通常の千鳥結線は３０度進むが、本発明の場合は２０度進むように他の相の巻き線の電圧を設定する。
【０００９】
図２は本発明の電源の一例を示す
この場合は溶接機（Ｗ）の変圧器（Ｔ３）がΔ−Ｙで、二次側の電圧は３０度進む。
従って、フリッカ装置の電源は３０度＋２０度＝５０度進ませる。
フリッカ装置（Ｆ）側の変圧器（Ｔ４）は６０度進んだΔ−Ｙ結線のＹの先端に他相の巻き線を接続して５０度進みの変圧器としている。
【００１０】
以上本発明の実施例を２つ記したが、変圧器の結線は多数あり、それぞれ全ての例を解説してもきりがない。
しかし、どのような結線をしても溶接機（Ｗ）の電源の位相を基準とした場合、フリッカ装置の電源の位相は２０度進むことは同じである。
【００１１】
フリッカ装置にサイリスタとコンデンサを直列にしたものを使用する場合は、現地でコンデンサを投入する極性と溶接機が初めに通電する極性を合わせる。
この場合コンデンサを半サイクルごとに容量を変化させることは出来ないので、溶接機は１サイクルごとに通電電流を変化させる。
【００１２】
【発明の効果】
本発明は、以上説明したように構成されているので、単相溶接機の電圧変動を制御遅れ無く、各相同時に抑制することが出来る。
その効果の実例は模擬回路および実機の現場測定により、確認ずみである。
【図面の簡単な説明】
【図１】本発明の実施例を示す電源のブロック図である。
【図２】本発明の実施例を示す電源のブロック図である。
【符号の説明】
Ｔ１、Ｔ２、Ｔ３、Ｔ４、　　　変圧器
Ｗ　　　　　　　　　　　　　　溶接機
Ｆ　　　　　　　　　　　　　　フリッカ装置
【図１】
2004072986.tif 000003
【図２】
2004072986.tif 000004